(57)【特許請求の範囲】
【請求項１】
登録された宛先を保持する宛先保持手段と、
上記宛先保持手段に登録する各宛先として、通信相手先の電話番号からなる宛先情報とともにファクシミリ伝送手順により送信されるＦコードからなる付加情報を登録する登録手段とを有する通信装置であって、
上記宛先保持手段に登録された宛先が選択されたときに、Ｆコード送信の機能がＯＮ設定になっている場合にのみ、その宛先に登録されている付加情報を有効とする手段を有することを特徴とする通信装置。
【請求項２】
請求項１に記載の通信装置において、
上記付加情報は、ＦコードのＳＵＢおよびＳＩＤであることを特徴とする通信装置。
【請求項３】
請求項１に記載の通信装置において、
上記付加情報は、ＦコードのＳＥＰおよびＰＷＤであることを特徴とする通信装置。
【請求項４】
登録された宛先を保持する宛先保持手段と、
上記宛先保持手段に登録する各宛先として、通信相手先の電話番号からなる宛先情報とともにファクシミリ伝送手順により送信されるＦコードからなる付加情報を登録する登録手段とを有する通信装置であって、
Ｆコード送信の機能をＯＮ設定に設定変更したときに、選択済みの宛先に登録されている付加情報を有効とするとともに、そのＦコード送信の機能をＯＮ設定以外に設定変更したときに、選択済みの宛先に登録されている付加情報を無効とする手段を有することを特徴とする通信装置。
【請求項５】
請求項４に記載の通信装置において、
上記付加情報は、ＦコードのＳＵＢおよびＳＩＤであることを特徴とする通信装置。
【請求項６】
請求項４に記載の通信装置において、
上記付加情報は、ＦコードのＳＥＰおよびＰＷＤであることを特徴とする通信装置。
【請求項７】
請求項１または４のいずれか一項に記載の通信装置において、
選択された宛先に対し、上記付加情報が有効である場合に、その旨をユーザに知らせる手段を有することを特徴とする通信装置。
【請求項８】
登録された宛先を保持する宛先保持手段と、
上記宛先保持手段に登録する各宛先として、通信相手先の電話番号からなる宛先情報とともにファクシミリ伝送手順により送信されるＦコードからなる第１および第２の付加情報を登録する登録手段とを有する通信装置であって、
上記宛先保持手段に登録された宛先が選択されたときに、Ｆコード送信の第１の機能がＯＮ設定になっている場合にのみ、その宛先に登録されている第１の付加情報を有効とするとともに、Ｆコードポーリングの第２の機能がＯＮ設定になっている場合にのみ、その宛先に登録されている第２の付加情報を有効とする手段を有することを特徴とする通信装置。
【請求項９】
請求項８に記載の通信装置において、
上記第１の付加情報は、ＦコードのＳＵＢおよびＳＩＤであり、
上記第２の付加情報は、ＦコードのＳＥＰおよびＰＷＤであることを特徴とする通信装置。
【請求項１０】
請求項８に記載の通信装置において、
上記第１の機能をＯＮ設定にする設定と、上記第２の機能をＯＮ設定にする設定とを、同時に設定できないよう規制する手段を有することを特徴とする通信装置。
【請求項１１】
請求項８に記載の通信装置において、
選択された宛先に対し、上記第１の付加情報もしくは上記第２の付加情報が有効である場合、それぞれどちらの付加情報が有効であるかをユーザに知らせる手段を有することを特徴とする通信装置。
【請求項１２】
登録された宛先を保持する宛先保持手段と、
上記宛先保持手段に登録する各宛先として、通信相手先の電話番号からなる宛先情報とともにファクシミリ伝送手順により送信されるＦコードからなる付加情報を登録する登録手段とを有する通信装置の制御方法であって、
上記宛先保持手段に登録された宛先が選択されたときに、Ｆコード送信の機能がＯＮ設定になっている場合にのみ、その宛先に登録されている付加情報を有効とすることを特徴とする通信装置の制御方法。
【請求項１３】
登録された宛先を保持する宛先保持手段と、
上記宛先保持手段に登録する各宛先として、通信相手先の電話番号からなる宛先情報とともにファクシミリ伝送手順により送信されるＦコードからなる付加情報を登録する登録手段とを有する通信装置の制御方法であって、
Ｆコード送信の機能をＯＮ設定に設定変更したときに、選択済みの宛先に登録されている付加情報を有効とするとともに、そのＦコード送信の機能をＯＮ設定以外に設定変更したときに、選択済みの宛先に登録されている付加情報を無効とすることを特徴とする通信装置の制御方法。
【請求項１４】
登録された宛先を保持する宛先保持手段と、
上記宛先保持手段に登録する各宛先として、通信相手先の電話番号からなる宛先情報とともにファクシミリ伝送手順により送信されるＦコードからなる第１および第２の付加情報を登録する登録手段とを有する通信装置の制御方法であって、
上記宛先保持手段に登録された宛先が選択されたときに、Ｆコード送信の第１の機能がＯＮ設定になっている場合にのみ、その宛先に登録されている第１の付加情報を有効とするとともに、Ｆコードポーリングの第２の機能がＯＮ設定になっている場合にのみ、その宛先に登録されている第２の付加情報を有効とすることを特徴とする通信装置の制御方法。
【発明の詳細な説明】
【技術分野】
【０００１】
本発明は、ファクシミリ装置、電話機等の、電話帳に通信相手先の宛先情報に加えて付加情報を登録することのできる通信装置に関する。
【背景技術】
【０００２】
近年、ファクシミリ装置では、ＩＴＵ−Ｔ（国際電気通信連合電気通信標準化部門）のＴシリーズ勧告３０で規定されるＦコード等の特定機能を示す情報を設定したオプション信号を使用したファクシミリ通信が行われるようになってきている。例えば、ＦコードＳＵＢを付加すれば、親展送信や中継同報送信ができ、ＦコードＳＥＰを付加すれば、相手機に蓄積されている掲示板文書のポーリング受信ができる。
【０００３】
Ｆコードとしては、次のものが使用可能である。
・ＳＵＢ（ＳＵＢ  ａｄｄｒｅｓｓ、送信用Ｆコード）
親展ボックス・中継ボックスへ送信する際に指定するＩＤ
・ＳＩＤ（Ｓｅｎｄｅｒ  ＩＤ）
ＳＵＢを使って送信する際のパスワード（ＳＵＢ指定時のみ有効）
・ＳＥＰ（Ｓｅｌｅｃｔｉｖｅ  Ｐｏｌｌｉｎｇ、取り出し用Ｆコード）
掲示板ボックスから受信する際に指定するＩＤ
・ＰＷＤ（Ｐａｓｓｗｏｒｄ）
ＳＥＰを使って受信する際のパスワード（ＳＥＰ指定時のみ有効）
このようなＦコードの入力を簡易化する方法として、特許文献１や特許文献２では、短縮ダイヤル機能（電話帳）やリダイヤル機能に宛先を記憶させる際、電話番号とともにＦコードを記憶し、記憶した宛先を選択したときに、電話番号とともに記憶したＦコードも入力されるようにしている。また、特許文献３には、Ｆコード入力を容易にするとともにＦコード送信を確実に行えるよう、テーブルに相手先名、サブアドレスＳＵＢ、パスワードＳＩＤ、および、暗証番号を対応付けて登録する技術が開示されている。
【特許文献１】特開２００１−１６９０７２号公報
【特許文献２】特開２００２−２９０６９２号公報
【特許文献３】特開２０００−６９２０８号公報
【発明の開示】
【発明が解決しようとする課題】
【０００４】
しかしながら、Ｆコードを付加して記憶させた宛先は、電話帳等から選択させると無条件にＦコードも入力されてしまうため、親展送信や中継同報送信等をせずに送信したい場合、電話帳等でＦコードを付加して記憶した宛先は使用できない。このため、同じ電話番号の相手先に対しても、中継同報送信等をせずに通常に送信したい場合はＦコードを付加しない宛先として記憶させた上で、中継同報送信等をしたい場合は別途Ｆコードを付加した宛先として記憶させなければならず、同じ電話番号の相手先をそれぞれ別々の宛先として記憶させなければならないという問題があった。
【０００５】
また、これらを別々の宛先として記憶させたとしても、通常送信をしたい場合に誤ってＦコードが付加されている宛先の方を選択してしまうことがあり、そうなると意図しないのに文書が他のファクシミリに転送されてしまうことがあり、セキュリティ上問題がある。そもそも、ＦコードはＩＤやパスワードを示すものであり、送出する必要がないのにこれらのＦコードが送出されてしまうのは、セキュリティ上好ましくない。
【０００６】
なお、Ｆコードの場合について説明したが、Ｆコード以外のサブアドレスや独自のプロトコルによる付加情報についても同様の問題がある。
【０００７】
本発明は上記の従来の問題点に鑑み提案されたものであり、その目的とするところは、Ｆコード等の付加情報の送信機能をＯＮにしたときのみ、電話帳宛先に登録されている付加情報を有効にすることにより、一つの電話帳宛先を、付加情報を使わない通常送信と付加情報を使った送信の両方で使えるようにし、意図しないのに誤って付加情報が送出されたり、文書が転送されたりするのを防止することのできる通信装置を提供することにある。
【課題を解決するための手段】
【０００８】
上記の課題を解決するため、本発明にあっては、請求項１に記載されるように、登録された宛先を保持する宛先保持手段と、上記宛先保持手段に登録する各宛先として、通信相手先の電話番号からなる宛先情報とともにファクシミリ伝送手順により送信されるＦコードからなる付加情報を登録する登録手段とを有する通信装置であって、上記宛先保持手段に登録された宛先が選択されたときに、Ｆコード送信の機能がＯＮ設定になっている場合にのみ、その宛先に登録されている付加情報を有効とする手段を有する通信装置を要旨としている。
【０００９】
また、請求項２に記載されるように、請求項１に記載の通信装置において、上記付加情報は、ＦコードのＳＵＢおよびＳＩＤであるものとすることができる。
【００１０】
また、請求項３に記載されるように、請求項１に記載の通信装置において、上記付加情報は、ＦコードのＳＥＰおよびＰＷＤであるものとすることができる。
【００１１】
また、請求項４に記載されるように、登録された宛先を保持する宛先保持手段と、上記宛先保持手段に登録する各宛先として、通信相手先の電話番号からなる宛先情報とともにファクシミリ伝送手順により送信されるＦコードからなる付加情報を登録する登録手段とを有する通信装置であって、Ｆコード送信の機能をＯＮ設定に設定変更したときに、選択済みの宛先に登録されている付加情報を有効とするとともに、そのＦコード送信の機能をＯＮ設定以外に設定変更したときに、選択済みの宛先に登録されている付加情報を無効とする手段を有するものとすることができる。
【００１２】
また、請求項５に記載されるように、請求項４に記載の通信装置において、上記付加情報は、ＦコードのＳＵＢおよびＳＩＤであるものとすることができる。
【００１３】
また、請求項６に記載されるように、請求項４に記載の通信装置において、上記付加情報は、ＦコードのＳＥＰおよびＰＷＤであるものとすることができる。
【００１４】
また、請求項７に記載されるように、請求項１または４のいずれか一項に記載の通信装置において、選択された宛先に対し、上記付加情報が有効である場合に、その旨をユーザに知らせる手段を有するものとすることができる。
【００１５】
また、請求項８に記載されるように、登録された宛先を保持する宛先保持手段と、上記宛先保持手段に登録する各宛先として、通信相手先の電話番号からなる宛先情報とともにファクシミリ伝送手順により送信されるＦコードからなる第１および第２の付加情報を登録する登録手段とを有する通信装置であって、上記宛先保持手段に登録された宛先が選択されたときに、Ｆコード送信の第１の機能がＯＮ設定になっている場合にのみ、その宛先に登録されている第１の付加情報を有効とするとともに、Ｆコードポーリングの第２の機能がＯＮ設定になっている場合にのみ、その宛先に登録されている第２の付加情報を有効とする手段を有するものとすることができる。
【００１６】
また、請求項９に記載されるように、請求項８に記載の通信装置において、上記第１の付加情報は、ＦコードのＳＵＢおよびＳＩＤであり、上記第２の付加情報は、ＦコードのＳＥＰおよびＰＷＤであるものとすることができる。
【００１７】
また、請求項１０に記載されるように、請求項８に記載の通信装置において、上記第１の機能をＯＮ設定にする設定と、上記第２の機能をＯＮ設定にする設定とを、同時に設定できないよう規制する手段を有するものとすることができる。
【００１８】
また、請求項１１に記載されるように、請求項８に記載の通信装置において、選択された宛先に対し、上記第１の付加情報もしくは上記第２の付加情報が有効である場合、それぞれどちらの付加情報が有効であるかをユーザに知らせる手段を有するものとすることができる。
【００１９】
また、請求項１２〜１４に記載されるように、通信装置の制御方法として構成することができる。
【発明の効果】
【００２０】
本発明の通信装置にあっては、Ｆコード等の付加情報の送信機能をＯＮにしたときのみ、電話帳宛先に登録されている付加情報を有効にすることにより、一つの電話帳宛先を、付加情報を使わない通常送信と付加情報を使った送信の両方で使えるようにし、意図しないのに誤って付加情報が送出されたり、文書が転送されたりするのを防止することができる。
【発明を実施するための最良の形態】
【００２１】
以下、本発明の好適な実施形態につき図面を参照して説明する。
【００２２】
図１は本発明の一実施形態にかかる複合機の構成例を示す図である。この複合機は、Ｇ３ファクシミリ通信を行うためのＧ３ファクシミリ機能と、複写物をプリントアウトするための複写機能を備えている。
【００２３】
図１において、システム制御部１は、この複合機の各部の制御処理、所定のＧ３ファクシミリ伝送制御手順処理、および、複写機制御処理を行うものである。システムメモリ２は、システム制御部１が実行する制御処理プログラム、および、処理プログラムを実行するときに必要な各種データなどを記憶するとともに、システム制御部１のワークエリアを構成するものである。パラメータメモリ３は、この複合機に固有な各種の情報を記憶するためのものである。時計回路４は、現在時刻情報を出力するためのものである。
【００２４】
スキャナ５は、所定の解像度で原稿画像を読み取るためのものであり、プロッタ６は、所定の解像度で画像を記録出力するためのものである。操作表示部７は、この複合機を操作するためのもので、各種の操作キー、および、各種の表示器からなる。
【００２５】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２６】
Ｇ３ファクシミリモデム１０は、Ｇ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。網制御装置１１は、この複合機をアナログ公衆網ＰＳＴＮに接続するためのものであり、自動発着信機能を備えている。
【００２７】
これらの、システム制御部１、システムメモリ２、パラメータメモリ３、時計回路４、スキャナ５、プロッタ６、操作表示部７、符号化復号化部８、画像蓄積装置９、Ｇ３ファクシミリモデム１０、および、網制御装置１１は、内部バス１２に接続されており、これらの各要素間でのデータのやりとりは、主としてこの内部バス１２を介して行われている。また、網制御装置１１とＧ３ファクシミリモデム１０との間のデータのやりとりは、直接行なわれる。
【００２８】
図２は操作表示部７の一例を示す図である。図２において、スタートキー７ａは、この複合機の送受信動作の開始を指令入力するためのものであり、ストップキー７ｂは、この複合機の動作の停止を指令入力するためのものである。テンキー７ｃは、電話番号などの数字（数値）情報を入力するためのものであり、クリアキー７ｄは、テンキー７ｃより入力した電話番号等を消去するためのものである。
【００２９】
ファクスキー７ｅは、この複合機の動作モードをファクシミリモードへ設定するためのものであり、コピーキー７ｆは、この複合機の動作モードをコピーモードへ設定するためのものであり、初期設定キー７ｇは、この複合機の動作モードを初期設定モードへ設定するためのものである。
【００３０】
液晶表示器７ｈは、この複合機の操作ガイダンスの表示や、入力情報のフィードバック表示などの種々のメッセージを表示するためのものであり、この液晶表示器７ｈには、ユーザのタッチ入力操作のためのタッチパネル７ｉが付設されている。ユーザの操作入力は、液晶表示器７ｈに表示される操作項目に対して画面をタッチ操作することで行われ、そのユーザのタッチ操作の発生およびタッチ座標等は、付設されているタッチパネル７ｉにより検出されて、システム制御部１へと通知される。
【００３１】
図３はＧ３プロトコルによるファクシミリ通信のＳＵＢ送信の例を示すシーケンス図である。図３において、まず発呼側から着呼側に１１００Ｈｚの呼出信号ＣＮＧを送信する（ステップＳ１）。着呼側端末はＣＮＧを受信すると発呼側に２１００Ｈｚの被呼端末識別信号ＣＥＤを送信する（ステップＳ２）。
【００３２】
次に着呼側からＣＥＤに続いて被呼端末識別信号ＣＳＩ、デジタル識別信号ＤＩＳを送信する（ステップＳ３）。ＣＳＩでは発呼側に着呼側端末のＣＳＩコード（国際識別番号）を伝え、ＤＩＳでは受信側の有する機能（受信側でサポートしている記録幅能力、解像度能力、圧縮方式等）を伝える。
【００３３】
これに対し発呼側ではＤＩＳを受信後、送信機識別ＳＩＤとサブアドレスＳＵＢ、そして送信端末識別信号ＴＳＩ、デジタル命令信号ＤＣＳを送信する（ステップＳ４）。ＴＳＩでは着呼側に発呼側のＣＳＩコードを伝え、ＤＣＳでは発呼側の機能とＤＩＳでわかった着呼側の端末機能から決定した交信条件（どの画像幅、解像度、圧縮方式で送信するか等）を伝える。
【００３４】
ここで、ＳＵＢは着呼側に対し親展受信や中継同報送信を依頼するためのＩＤとして用いられ、ＳＩＤはそれら親展受信や中継同報送信を行うときのパスワードとして用いられることが多い。例えば、「１２３４」という親展ボックスが開設されている時に、ＳＵＢとして「１２３４」が指定された通信を着呼すると、その通信で送信された文書は自動的に印刷はされず、その「１２３４」という親展ボックスに蓄積される。ここで、親展ボックスにパスワードを設定し、発呼側からはパスワードをＳＩＤで指定して、そのＳＩＤが親展ボックスのパスワードと一致しないと文書の受信を拒否する（通信断にする）というようにすることもある。また、着呼側に「１２３４」という中継ボックスが開設されており、その中継ボックスの送信先にＡ、Ｂという宛先が設定されていると、ＳＵＢとして「１２３４」が指定された通信を着呼すると、送信された文書を宛先Ａ、Ｂに転送する。ここでも、中継ボックスにパスワードを設定し、発呼側からはパスワードをＳＩＤで指定して、そのＳＩＤが中継ボックスのパスワードと一致しないと文書の受信を拒否する（通信断にする）というようにすることもある。このように、ＳＵＢは着呼側に開設された親展ボックスや中継ボックスのＩＤを指定するものであり、ＳＩＤはそれらのボックスのパスワードを指定するものである。従って、ＳＩＤを指定せずＳＵＢのみを指定することはあるが、ＳＵＢを指定せずにＳＩＤのみを指定することはない。ＳＵＢもＳＩＤも０〜９の数字、＊、＃を用いて最大２０桁まで指定できる。
【００３５】
次に通信速度を決定するため、発呼側から着呼側にトレーニング信号ＴＣＦを送信する（ステップＳ５）。この信号に対し着呼側で正常に受信できたら発呼側に受信準備確認信号ＣＦＲを送信する（ステップＳ６）。
【００３６】
続いて、発呼側から着呼側に文書（画像）を送信する（図ではＰＩＸとして示す）（ステップＳ７）。画像送信後、次のページがない場合は発呼側から着呼側に手順終了信号ＥＯＰを送信する（次ページがある場合は別の信号を送信するがここでは省略する）（ステップＳ８）。着呼側ではＥＯＰを受け取ると発呼側にメッセージ確認信号ＭＣＦを送信する（ステップＳ９）。そして、発呼側から着呼側に切断命令信号ＤＣＮを送信し（ステップＳ１０）、回線を切断して交信が終了する。
【００３７】
図４はＧ３プロトコルによるファクシミリ通信のＳＥＰポーリング受信の例を示すシーケンス図である。図４において、着呼側から発呼側にＣＳＩ、ＤＩＳを送信するところまで（ステップＳ１１〜Ｓ１３）は図３と同じである。
【００３８】
それに対し発呼側から着呼側にパスワードＰＷＤ、選択ポーリングＳＥＰ、起呼端末識別信号ＣＩＧ、デジタル送信命令信号ＤＴＣを送信する（ステップＳ１４）。ＣＩＧでは発呼側端末のＣＳＩコードを伝え、ＤＴＣは相手端末に画像の送信権を委譲することを伝える。つまり、通常の通信では発呼側から着呼側に画像を送信する（発呼側＝画像送信側、着呼側＝画像受信側となる）が、発呼側から着呼側にＤＴＣを送信することにより、以後、着呼側から発呼側に画像を送信する（発呼側＝画像受信側、着呼側＝画像送信側となる）ことになる。
【００３９】
ここで、ＳＥＰは着呼側（画像送信側）に対してポーリング受信を行うための掲示板のＩＤとして用いられ、ＰＷＤはポーリング受信を行うときのパスワードとして用いられることが多い。例えば、「１２３４」という掲示板ボックスが開設され、その掲示板ボックスにあらかじめ文書が蓄積されているときに、ＳＥＰとして「１２３４」が指定された通信を着呼すると、ＤＴＣ受信によって画像送信権が着呼側に委譲される場合、着呼側から発呼側に掲示板ボックス「１２３４」に蓄積されている文書を送信する。ここで、掲示板ボックスにパスワードを設定し、発呼側からはパスワードをＰＷＤで指定して、そのＰＷＤが掲示板ボックスのパスワードと一致しないとポーリング受信を拒否する（通信断にする）というようにすることもある。このように、ＳＥＰは着呼側に開設された掲示板ボックスのＩＤを指定するものであり、ＰＷＤはその掲示板ボックスのパスワードを指定するものである。従って、ＰＷＤを指定せずにＳＥＰのみを指定することはあるが、ＳＥＰを指定せずにＰＷＤのみを指定することはない。ＳＥＰもＰＷＤも０〜９の数字、＊、＃を用いて最大２０桁まで指定できる。
【００４０】
発呼側から着呼側にＤＴＣを送信した後は、着呼側（画像送信側）から発呼側（画像受信側）にＴＳＩ、ＤＣＳを送信する（ステップＳ１５）。以後、図３の手順と発呼側・着呼側が入れ替わって信号・画像（ＰＩＸ）を送受信する（ステップＳ１６〜Ｓ２１）。
【００４１】
一方、この複合機には、１つのキー操作で宛先を指定入力することができるワンタッチダイヤル機能が備えられており、そのワンタッチダイヤル機能で参照する複数の宛先登録情報は、図５に示すような電話帳テーブルに登録されている。なお、電話帳テーブルは図１における不揮発性のパラメータメモリ３に保持されている（別途、不揮発性の電話帳メモリを設け、そこに保持するようにしてもよい）。
【００４２】
図５において、電話帳テーブルは、ＢＯＯＫ＿ＭＡＸ個からなる配列Ｂｏｏｋで構成され、各配列は登録番号を保持する数値変数Ｎｏ、キー表示名を保持する文字列変数Ｋｅｙ、宛先名称を保持する文字列変数Ｎａｍｅ、電話番号を保持する文字列変数Ｔｅｌ、そしてＳＵＢ、ＳＩＤ、ＳＥＰ、ＰＷＤを保持する文字列変数Ｓｕｂ、Ｓｉｄ、Ｓｅｐ、Ｐｗｄから成っている。ｉ番目（ｉ＝０〜ＢＯＯＫ＿ＭＡＸ−１）の配列要素はＢｏｏｋ［ｉ］で表し、Ｂｏｏｋ［ｉ］の登録番号、キー表示名、宛先名称、電話番号、ＳＵＢ、ＳＩＤ、ＳＥＰ、ＰＷＤはそれぞれＢｏｏｋ［ｉ］．Ｎｏ、Ｂｏｏｋ［ｉ］．Ｋｅｙ、Ｂｏｏｋ［ｉ］．Ｎａｍｅ、Ｂｏｏｋ［ｉ］．Ｔｅｌ、Ｂｏｏｋ［ｉ］．Ｓｕｂ、Ｂｏｏｋ［ｉ］．Ｓｉｄ、Ｂｏｏｋ［ｉ］．Ｓｅｐ、Ｂｏｏｋ［ｉ］．Ｐｗｄで表す。Ｎｏには、その配列に宛先が未登録の場合０がセットされ、登録済みの場合は他の配列要素のＮｏと重ならない０でない番号がセットされる。従って、Ｂｏｏｋ［ｉ］．Ｎｏが０ならＢｏｏｋ［ｉ］には宛先未登録、０でなければ宛先登録済みとなる。Ｋｅｙにはワンタッチ宛先ボタンに表示する名称が設定され、Ｎａｍｅにはその宛先を選択した時に表示する名称が設定される。また、Ｔｅｌ、Ｓｕｂ、Ｓｉｄ、Ｓｅｐ、Ｐｗｄは設定値がなければＮＵＬＬ（空文字列）をセットしておく。
【００４３】
図６は入力された宛先を保持するための変数Ａｄｒの例を示す図である。なお、変数Ａｄｒは図１におけるシステムメモリ２に保持される。
【００４４】
図６において、変数Ａｄｒは図５の配列Ｂｏｏｋ［］に対してＫｅｙ以外の同じ要素を持っている。これは、キー表示名を使用することがないからであるが、図５と同じ要素としても差し支えない。
【００４５】
入力中宛先の登録番号はＡｄｒ．Ｎｏ、入力中宛先の電話番号はＡｄｒ．Ｔｅｌ、等で表し、Ａｄｒ．ＴｅｌがＮＵＬＬなら宛先が未入力であることを示す。また、Ａｄｒ．Ｎｏが０なら、宛先未入力か、電話帳以外から宛先が入力されていること（テンキーによって宛先が入力されている）を示す。
【００４６】
発呼時には、まずＡｄｒ．Ｔｅｌの電話番号に電話をかけ、通信開始後、図３・図４に示したタイミングでＡｄｒ．Ｓｕｂ、Ａｄｒ．Ｓｉｄ、Ａｄｒ．Ｓｅｐ、Ａｄｒ．Ｐｗｄに入っている内容に従ってＳＵＢ、ＳＩＤ、ＳＥＰ、ＰＷＤを送信する（それぞれＮＵＬＬなら送信しない）。
【００４７】
図７は電話帳から宛先を選択する画面例を示す図である。（ａ）は宛先未入力（Ａｄｒ．Ｔｅｌ＝ＮＵＬＬ）時の画面であり、画面上側にある枠が宛先内容枠で、宛先未入力時は何も表示しない。画面下側には、電話帳から宛先を選択するためのワンタッチ宛先ボタン（ここでは８つ、それぞれ電話帳テーブルのＫｅｙで設定されているキー表示名が表示される）と、ワンタッチ宛先ボタンのページを切り替えるためのスクロールボタン（三角形のマークが付されたボタン）が表示されている。
【００４８】
例えば（ａ）で「東京本社」というワンタッチ宛先ボタンを押下すると、（ｂ）の画面のようになる。（ｂ）では、選択した「東京本社」という宛先のワンタッチボタンが反転し、宛先内容枠内に選択した宛先の電話番号（Ｔｅｌ）・名称（Ｎａｍｅ）が表示される。反転しているワンタッチ宛先ボタンを押すと宛先の選択解除という操作になり、（ａ）のように宛先未入力の画面に戻る。
【００４９】
図８はＦコード送信の無効・有効を制御する場合の画面フローを示す図である。図８において、各画面では、ワンタッチ宛先ボタン表示部分の下に「Ｆコード送信」というボタンがあり、このボタンが反転しているとＦコード送信機能ＯＮ、反転していないとＦコード送信機能ＯＦＦとなる。ボタンを押下するたびにボタンは通常表示（ＯＦＦ）と反転表示（ＯＮ）で入れ替わる（図８（ａ１）と（ｂ１））。
【００５０】
ここで、図５の電話帳テーブルの例と同じように、Ｋｅｙが「東京本社」である電話帳宛先は、電話番号（Ｔｅｌ）＝“３３３３”、ＳＵＢ＝“１２３４”、ＳＩＤ＝“５５５５”、Ｋｅｙが「渋谷支店」である電話帳宛先は、電話番号（Ｔｅｌ）＝“０＊＃”、ＳＵＢ＝ＮＵＬＬ、ＳＩＤ＝ＮＵＬＬ（すなわちＳＵＢ・ＳＩＤは未登録）とする。
【００５１】
図８（ａ１）に示すＦコード送信機能ＯＦＦの時に、電話帳ではＳＵＢ・ＳＩＤが登録されている宛先「東京本社」を選択しても、（ａ２）に示すように、入力宛先としてはＳＵＢ・ＳＩＤは有効とはならない。つまり、この時はＡｄｒ．Ｓｕｂ＝ＮＵＬＬ、Ａｄｒ．Ｓｉｄ＝ＮＵＬＬとなる。
【００５２】
図８（ｂ１）に示すＦコード送信機能ＯＮの時に、電話帳ではＳＵＢ・ＳＩＤが登録されている宛先「東京本社」を選択すると、（ｂ２）に示すように、入力宛先としてＳＵＢ・ＳＩＤが有効となる。すなわち、この時はＡｄｒ．Ｓｕｂ＝“１２３４”、Ａｄｒ．Ｓｉｄ＝“５５５５”となる。また、Ｆコード送信機能ＯＮであっても、ＳＵＢ・ＳＩＤが登録されていない宛先「渋谷支店」を選択しても、（ｂ３）に示すように、ＳＵＢ・ＳＩＤは有効にはならない。
【００５３】
なお、（ａ１）に示す宛先未入力の状態においては入力内容がクリアされている場合を示したが、直前の操作内容を保持するようにしてもよい。この場合、同じ宛先に続けて送信等を行う場合の操作を簡略化することができる。また、直前の操作におけるＦコード送信等の選択状態だけを残すようにすることもできる。更に、予めＦコード送信等の選択状態のデフォルトを設定しておき、その状態から開始するようにすることもできる。
【００５４】
図９は図８の画面フローに対応するワンタッチ宛先選択時の処理フローを示す図である。ここで、Ｎは電話帳テーブルにおける選択された電話帳宛先のインデックスとする。例えば、図５の電話帳テーブルに対して、Ｋｅｙが「渋谷支店」というワンタッチ宛先を選択した場合はＮ＝３となる。
【００５５】
図９において、宛先が選択されて処理が開始すると、まずＮｏ、Ｎａｍｅ、ＴｅｌをＢｏｏｋ［Ｎ］からＡｄｒに反映する（ステップＳ３１）。ここではＳＥＰ・ＰＷＤは有効とはしないのでＡｄｒ．ＳｅｐとＡｄｒ．ＰｗｄはＮＵＬＬにする。
【００５６】
続いて、Ｆコード送信機能がＯＮになっているか否か判断し（ステップＳ３２）、ＯＮになっていれば、Ｓｕｂ・ＳｉｄもＢｏｏｋ［Ｎ］からＡｄｒに反映するが（ステップＳ３３）、Ｆコード送信機能がＯＦＦになっていれば、Ａｄｒ．Ｓｕｂ、Ａｄｒ．ＳｉｄもＮＵＬＬにセットする（ステップＳ３４）。
【００５７】
こうすることで、電話帳にＳＵＢやＳＩＤが登録されていても、Ｆコード送信機能がＯＦＦであったら入力宛先にはＳＵＢ・ＳＩＤは反映されず、発呼時にもＳＵＢやＳＩＤが送信されない。従って、明示的にＳＵＢ送信を行いたい場合はＦコード送信機能をＯＮにする必要があるので、そうでない場合に誤ってＳＵＢが送信されることはない。すなわち、電話帳宛先を選択したとき、Ｆコード送信機能がＯＮになっている場合のみ、電話帳宛先に登録されているＦコードＳＵＢ・ＳＩＤを有効とするようにしたことにより、一つの電話帳宛先を、通常送信と親展送信／中継同報送信の両方で使えるようになり、意図しないのに誤ってＳＵＢ・ＳＩＤが送出されたり、中継同報送信機能が働いて文書が転送されたりするのを防止することができる。
【００５８】
同様に、図８に示した「Ｆコード送信」ボタンに代え、「Ｆコードポーリング」というＯＦＦ／ＯＮボタンを設け、Ｆコードポーリング機能がＯＮの時のみ電話帳宛先のＳＥＰ・ＰＷＤを入力宛先に反映させるようにすることができる。このように、電話帳宛先を選択したとき、Ｆコードポーリング機能がＯＮになっている場合のみ、電話帳宛先に登録されているＦコードＳＥＰ・ＰＷＤを有効とするようにしたことにより、一つの電話帳宛先を、通常送信と掲示板ポーリング受信の両方で使えるようになり、意図しないのに誤ってＳＥＰ・ＰＷＤが送出されるのを防止することができる。
【００５９】
図１０はＦコード送信の無効・有効を制御する場合の他の画面フローを示す図である。ここで、図５の電話帳テーブルの例と同じように、Ｋｅｙが「東京本社」である電話帳宛先は、電話番号（Ｔｅｌ）＝“３３３３”、ＳＵＢ＝“１２３４”、ＳＩＤ＝“５５５５”とする。
【００６０】
図１０（ａ）は図８（ａ２）と同じで、電話帳には「東京本社」という宛先にＳＵＢ・ＳＩＤが登録されているが、Ｆコード送信機能ＯＦＦであるために入力宛先ではＳＵＢ・ＳＩＤが無効となっている状態である。この状態で、「Ｆコード送信」ボタンを押下してＦコード送信機能をＯＮにすると、（ｂ）のように電話帳の「東京本社」という宛先に登録されているＳＵＢ・ＳＩＤが有効になり、再度「Ｆコード送信」ボタンを押下してＦコード送信機能をＯＦＦにすると、（ａ）のようにＳＵＢ・ＳＩＤが無効になる。
【００６１】
図１１は図１０の画面フローに対応するＦコード送信ボタン押下時の処理フローを示す図である。「Ｆコード送信」ボタンの押下時にＦコード送信機能ＯＦＦ→ＯＮか、ＯＮ→ＯＦＦかを判断し（ステップＳ４１）、押下時にＦコード送信機能ＯＮで、これをＯＦＦにする場合はＡｄｒ．ＳｕｂもＡｄｒ．ＳｉｄもＮＵＬＬにセットする（ステップＳ４２）。
【００６２】
押下時にＦコード送信機能ＯＦＦで、これをＯＮにする場合、Ａｄｒ．Ｎｏ＝０（宛先未入力か、電話帳から選択された宛先でない場合）であるか否か判断し（ステップＳ４３）、Ａｄｒ．Ｎｏ＝０である場合は何もせず終了する。
【００６３】
Ａｄｒ．Ｎｏ＝０でなく、電話帳宛先が選択されている場合、電話帳テーブルからＡｄｒ．ＮｏとＮｏが一致するもの検索し（ステップＳ４４）、その電話帳テーブル宛先からＳｕｂ、ＳｉｄをＡｄｒに反映する（ステップＳ４５）。
【００６４】
このようにすることで、Ｆコード送信機能ＯＦＦの状態で宛先を選択しても、後でＦコード送信機能ＯＮにすることによりＳＵＢ・ＳＩＤを有効にさせることができる。すなわち、Ｆコード送信機能をＯＦＦ→ＯＮにしたとき、選択済みの電話帳宛先に登録されているＦコードＳＵＢ・ＳＩＤを無効→有効にし、Ｆコード送信機能をＯＮ→ＯＦＦにしたとき、選択済みの電話帳宛先に登録されているＦコードＳＵＢ・ＳＩＤを有効→無効にするようにしたことにより、一つの電話帳宛先を、通常送信と親展送信／中継同報送信の両方で使えるようになり、意図しないのに誤ってＳＵＢ・ＳＩＤが送出されたり、中継同報送信機能が働いて文書が転送されたりするのを防止することができ、電話帳宛先を選択した後でも、Ｆコード送信機能のＯＦＦ／ＯＮを切り替えることによってＦコードＳＵＢ・ＳＩＤの無効／有効が切り替わるようにできる。
【００６５】
同様に、Ｆコードポーリング機能ＯＦＦの状態で宛先を選択しても、後でＦコードポーリング機能をＯＮにしたときに、入力済みの宛先のＳＥＰ・ＰＷＤを有効とさせるようにすることができる。このように、Ｆコードポーリング機能をＯＦＦ→ＯＮにしたとき、選択済みの電話帳宛先に登録されているＦコードＳＥＰ・ＰＷＤを無効→有効にし、Ｆコードポーリング機能をＯＮ→ＯＦＦにしたとき、選択済みの電話帳宛先に登録されているＦコードＳＥＰ・ＰＷＤを有効→無効にするようにしたことにより、一つの電話帳宛先を、通常送信と掲示板ポーリング受信の両方で使えるようになり、意図しないのに誤ってＳＥＰ・ＰＷＤが送出されるのを防止することができ、電話帳宛先を選択した後でも、Ｆコードポーリング機能のＯＦＦ／ＯＮを切り替えることによってＦコードＳＥＰ・ＰＷＤの無効／有効が切り替わるようにできる。
【００６６】
図１２は入力中の宛先のＳＵＢの有効・無効を表示する処理フローを示す図である。すなわち、入力中の宛先のＳＵＢが有効ならば宛先内容枠の右側に「Ｆコード（ＳＵＢ）」と表示するようにしたものである。この処理フローはワンタッチ宛先を選択した後・解除した後、Ｆコード送信機能ＯＦＦ／ＯＮを切り替えた後に行われる。
【００６７】
まず、Ａｄｒ．ＳｕｂがＮＵＬＬであるか否か判断し（ステップＳ５１）、ＮＵＬＬでなければ宛先内容枠の右側に「Ｆコード（ＳＵＢ）」と表示し（ステップＳ５２）、ＮＵＬＬなら宛先内容枠の右側を非表示にする（ステップＳ５３）。
【００６８】
このように、選択した電話帳宛先に対し、ＦコードＳＵＢやＳＥＰが有効かどうかを画面に表示するようにしたことにより、Ｆコードが送出されるのかどうかユーザが容易に分かるようにすることができる。
【００６９】
図１３はＦコード送信およびＦコードポーリングの無効・有効を制御する場合の画面フローを示す図である。図１３では図８に加えてＦコードポーリング機能のＯＦＦ／ＯＮを設定する「Ｆコードポーリング」というボタンが追加されている。（ａ１）（ａ２）（ｂ１）（ｂ２）については図８と同様である。図１３において、「Ｆコードポーリング」ボタンが反転しているとＦコードポーリング機能ＯＮ、反転していないとＦコードポーリング機能ＯＦＦとなる。ボタンを押下するたびにボタンは通常表示（ＯＦＦ）と反転表示（ＯＮ）で入れ替わる（図１３（ａ１）と（ｃ１））。
【００７０】
Ｆコードポーリング機能がＯＮの状態でワンタッチ宛先を選択した場合は、（ｃ２）に示すように電話帳に登録されているＳＥＰが有効になり、Ｆコードポーリング機能がＯＦＦの状態でワンタッチ宛先を選択した場合は、（ａ２）に示すように電話帳に登録されているＳＥＰが無効になる。
【００７１】
なお、図１３において、Ｆコード送信機能がＯＮ（Ｆコード送信ボタンが反転）の状態では、Ｆコードポーリングボタンが半輝度状態になっておりボタンが押下できなくなっている。また、Ｆコードポーリング機能がＯＮ（Ｆコードポーリングボタンが反転）の状態では、Ｆコード送信ボタンが半輝度状態になっておりボタンが押下できなくなっている。このため、Ｆコード送信機能とＦコードポーリング機能を同時にＯＮすることはできないようになっている。なお、半輝度状態で示したボタンについても押せるようにし、選択状態が切り替わるようにしてもよい。
【００７２】
図１４は図１３の画面フローに対応するワンタッチ宛先選択時の処理フローを示す図である。図１４では、変数Ａｄｒへの反映（ステップＳ６１）においてＡｄｒ．ＳｅｐとＡｄｒ．ＰｗｄをＮＵＬＬにしない点を除き、Ｆコード送信のＯＮ・ＯＦＦによるＡｄｒ．Ｓｕｂ、Ａｄｒ．Ｓｉｄの設定まで（ステップＳ６２〜Ｓ６４）は図９のフローと同様である。
【００７３】
これに加え、図１４では、Ｆコードポーリング機能がＯＮか否か判断し（ステップＳ６５）、ＯＮなら、Ａｄｒ．ＳｅｐとＡｄｒ．ＰｗｄをＢｏｏｋ［Ｎ］から反映させ（ステップＳ６６）、Ｆコードポーリング機能がＯＦＦなら、Ａｄｒ．ＳｅｐとＡｄｒ．ＰｗｄをＮＵＬＬにしている（ステップＳ６７）。
【００７４】
このように、ＳＵＢ（・ＳＩＤ）・ＳＥＰ（・ＰＷＤ）が登録されている電話帳宛先を選択したとき、Ｆコード送信機能がＯＮになっている場合は、電話帳宛先に登録されているＦコードＳＵＢ（・ＳＩＤ）を有効とし、Ｆコードポーリング機能がＯＮになっている場合は、電話帳宛先に登録されているＦコードＳＥＰ（・ＰＷＤ）を有効とするようにしたことにより、一つの電話帳宛先を、通常送信、親展送信／中継同報送信、掲示板ポーリング受信のいずれでも使えるようにすることができる。
【００７５】
図１５は図１３の画面フローに対応するＦコード送信ボタン押下時の処理フローを示す図である。図１５において、まずＦコード送信ボタンが半輝度であるか否か判断し（ステップＳ７１）、半輝度になっているときは何もせずに終了する。Ｆコード送信ボタンが半輝度でない場合はＦコード送信機能がＯＦＦであるか否か判断し（ステップＳ７２）、ＯＦＦになっているときは、Ｆコード送信機能をＯＮに設定し（ステップＳ７３）、Ｆコード送信ボタンを反転表示、Ｆコードポーリングボタンを半輝度表示にする（ステップＳ７４）。一方、Ｆコード送信機能がＯＮになっているときは、Ｆコード送信機能をＯＦＦに設定し（ステップＳ７５）、Ｆコード送信ボタン・Ｆコードポーリングボタンを通常表示に戻す（ステップＳ７６）。
【００７６】
Ｆコードポーリングボタンを押下したときの処理フローも同様に行うことができる（Ｆコード送信とＦコードポーリングを丁度入れ替えた処理となる。）。
【００７７】
このように、Ｆコード送信機能とＦコードポーリング機能の両方を同時にＯＮできないようにしたことにより、ＦコードＳＵＢと、ＦコードＳＥＰが同時に送出されることが防止できる。
【００７８】
図１６は入力中の宛先のＳＵＢ・ＳＥＰの有効を表示する処理フローを示す図である。すなわち、入力中の宛先のＳＵＢが有効ならば宛先内容枠の右側に「Ｆコード（ＳＵＢ）」、ＳＥＰが有効なら同じ位置に「Ｆコード（ＳＥＰ）」と表示するための処理フローである。なお、この処理フローはワンタッチ宛先を選択した後・解除した後、Ｆコード送信機能ＯＦＦ／ＯＮを切り替えた後、Ｆコードポーリング機能ＯＦＦ／ＯＮを切り替えた後に行われる。
【００７９】
図１６において、まずＡｄｒ．ＳｕｂがＮＵＬＬでないか否か判断し（ステップＳ８１）、ＮＵＬＬでない場合は宛先枠右側に「Ｆコード（ＳＵＢ）」と表示する（ステップＳ８２）。また、Ａｄｒ．ＳｕｂがＮＵＬＬの場合は、続いてＡｄｒ．ＳｅｐがＮＵＬＬでないか否か判断し（ステップＳ８３）、ＮＵＬＬでない場合は宛先枠右側に「Ｆコード（ＳＥＰ）」と表示する（ステップＳ８４）。Ａｄｒ．ＳｅｐがＮＵＬＬの場合は宛先枠右側を非表示とする（ステップＳ８５）。
【００８０】
このように、選択した電話帳宛先に対し、Ｆコードが有効になっている場合、ＳＵＢとＳＥＰのどちらが有効なのかを画面に表示するようにしたことにより、ＳＵＢが送出される（親展送信／中継同報送信が行われる）のか、ＳＥＰが送出される（掲示板ポーリング受信が行われる）のかユーザが容易に分かるようにすることができる。
【００８１】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００８２】
【図１】本発明の一実施形態にかかる複合機の構成例を示す図である。
【図２】操作表示部の一例を示す図である。
【図３】Ｇ３プロトコルによるファクシミリ通信のＳＵＢ送信の例を示すシーケンス図である。
【図４】Ｇ３プロトコルによるファクシミリ通信のＳＥＰポーリング受信の例を示すシーケンス図である。
【図５】電話帳テーブルの例を示す図である。
【図６】入力された宛先を保持するための変数Ａｄｒの例を示す図である。
【図７】電話帳から宛先を選択する画面例を示す図である。
【図８】Ｆコード送信の無効・有効を制御する場合の画面フローを示す図である。
【図９】ワンタッチ宛先選択時の処理フローを示す図である。
【図１０】Ｆコード送信の無効・有効を制御する場合の他の画面フローを示す図である。
【図１１】Ｆコード送信ボタン押下時の処理フローを示す図である。
【図１２】入力中の宛先のＳＵＢの有効・無効を表示する処理フローを示す図である。
【図１３】Ｆコード送信およびＦコードポーリングの無効・有効を制御する場合の画面フローを示す図である。
【図１４】ワンタッチ宛先選択時の処理フローを示す図である。
【図１５】Ｆコード送信ボタン押下時の処理フローを示す図である。
【図１６】入力中の宛先のＳＵＢ・ＳＥＰの有効を表示する処理フローを示す図である。
【符号の説明】
【００８３】
１      システム制御部
２      システムメモリ
３      パラメータメモリ
４      時計回路
５      スキャナ
６      プロッタ
７      操作表示部
７ａ    スタートキー
７ｂ    ストップキー
７ｃ    テンキー
７ｄ    クリアキー
７ｅ    ファクスキー
７ｆ    コピーキー
７ｇ    初期設定キー
７ｈ    液晶表示器
７ｉ    タッチパネル
８      符号化復号化部
９      画像蓄積装置
１０    Ｇ３ファクシミリモデム
１１    網制御装置
１２    内部バス
【図１】
0004571573.tif 000002
【図２】
0004571573.tif 000003
【図３】
0004571573.tif 000004
【図４】
0004571573.tif 000005
【図５】
0004571573.tif 000006
【図６】
0004571573.tif 000007
【図７】
0004571573.tif 000008
【図８】
0004571573.tif 000009
【図９】
0004571573.tif 000010
【図１０】
0004571573.tif 000011
【図１１】
0004571573.tif 000012
【図１２】
0004571573.tif 000013
【図１３】
0004571573.tif 000014
【図１４】
0004571573.tif 000015
【図１５】
0004571573.tif 000016
【図１６】
0004571573.tif 000017